(57)【要約】【課題】  傾斜面であってもスペーサ等の部材を使用すること無く安定した状態で設置できる収納ボックスの固定構造を提供する。【解決手段】  支持手段３は、コンクリートベース２に連結固定される第１部材３ａと、収納ボックス１の底部に連結固定される第２部材３ｂとを有して、第1部材３ａと第２部材３ｂとは回動可能に連結されて成り、更に連結された第１部材３ａと第２部材３ｂとは、ボルト８を用いて回動可能な範囲内の任意角度で回動不可に固定可能であり、収納ボックス１は、ボルト８により連結角度が固定された支持手段３を介してコンクリートベース２に固定配置される。【選択図】  図３
2019146782.tif 000002
【特許請求の範囲】
【請求項１】
支持手段を介して収納ボックスを固定対象上に固定配置する収納ボック固定構造であって、
前記支持手段は、固定対象に連結固定される第１部材と、前記収納ボックスの底部に連結固定される第２部材とを有して、前記第1部材と前記第２部材とは横方向の回動軸を備えて回動可能に連結されて成り、
更に連結された前記第１部材と前記第２部材とは、固定手段を用いて回動可能な範囲内の任意角度で回動不可に固定可能であり、
前記収納ボックスは、前記固定手段により連結角度が固定された前記支持手段を介して前記固定対象に固定配置されることを特徴とする収納ボックス固定構造。
【請求項２】
前記第１部材と前記第２部材とは、前記固定対象に固定或いは前記収納ボックスに固定される固定片と、互いに連結するための重ね片とを有して、Ｌ字状に折り曲げ形成された同一形状の部材であり、
前記重ね片同士が前記回動軸を介して連結されることで、前記第１部材と前記第２部材とが回動可能に連結され、
前記支持手段は、前記第１部材と前記第２部材との組を２組有して、前記回動軸を同一直線上に配置して成ることを特徴とる請求項１記載の収納ボックス固定構造。
【請求項３】
前記第１部材と前記第２部材とは、前記固定対象に固定或いは前記収納ボックスに固定される固定片と、互いに連結するための重ね片とを有し、
前記第１部材及び前記第２部材のうちの一方は、前記固定片の両端に重ね片を有してコ字状に形成された一体形部材であると共に、他方は前記固定片に１つの前記重ね片を備えたＬ字状部材であり、
前記一体形部材の重ね片と前記Ｌ字状部材の前記重ね片とが、前記回動軸を介して連結されることで、前記第１部材と前記第２部材とが回動可能に連結され、
前記支持手段は、１つの前記一体形部材と２つの前記Ｌ字状部材とから成ることを特徴とる請求項１記載の収納ボックス固定構造。
【請求項４】
前記重ね片には、前記回動軸を中心とする円弧状の長孔が設けられており、前記固定手段が前記長孔に挿通して重ね片同士を密着させるボルトであり、前記長孔の長さの範囲内における任意の角度で、前記ボルトにより角度が固定されることを特徴とする請求項２又は３記載の収納ボックス固定構造。
【請求項５】
前記第１部材と前記第２部材とを回動させる回動軸は、前記重ね片に穿設された軸孔にボルトを挿通して形成され、
前記軸孔は、縦長の長孔であることを特徴とする請求項２乃至４の何れかに記載の収納ボックス固定構造。
【発明の詳細な説明】
【技術分野】
【０００１】
本発明は、宅配物や郵便物等の配達された物品を収納する収納ボックスを据え付けるための収納ボックス固定構造に関する。
【背景技術】
【０００２】
居住者が留守にしている時でも配達された物品の受け取りを可能とするために、宅配ボックスを設置した集合住宅が普及しているが、戸建住宅では留守時に宅配物を受け取るためのボックスは郵便ポストのように簡易に設置できないため普及には至っていない。
しかしながら、配達業者及び居住者の双方の負担を軽減するためにも、戸建住宅に適応させた物品を受け取るための収納ボックスが検討されている。
例えば、玄関先等の屋外に自立設置される収納ボックスとして特許文献１に記載されたものが提案されている。これは、床上に配置される板に支柱を立設し、この支柱に収納ボックスを取り付けて自立させ、板にコンクリートベースを載置して自立状態を安定させた構成となっている。
【先行技術文献】
【特許文献】
【０００３】
【特許文献１】特開２０１７−６３９６１号公報
【発明の概要】
【発明が解決しようとする課題】
【０００４】
上記特許文献１の収納ボックスは自立した構造であるため、壁面に取り付けられる郵便受けよりボックス自体を大きくでき、比較的大きな物品でも収納できる。
しかしながら、平坦な場所に設置することを前提としており、傾斜面に設置する場合には、床に配置する座板にスペーサを噛ます等の処置を必要とした。この場合、収納ボックスは一時的には安定した状態を得るが、荷物の収納操作や取り出し操作により、すぐに不安定な状態となるため、傾斜面には適していなかった。
【０００５】
そこで、本発明はこのような問題点に鑑み、傾斜面であってもスペーサ等の部材を使用すること無く安定した状態で設置できる収納ボックスの固定構造を提供することを目的としている。
【課題を解決するための手段】
【０００６】
上記課題を解決する為に、請求項１の発明は、支持手段を介して収納ボックスを固定対象上に固定配置する収納ボック固定構造であって、支持手段は、固定対象に連結固定される第１部材と、収納ボックスの底部に連結固定される第２部材とを有して、第1部材と第２部材とは横方向の回動軸を備えて回動可能に連結されて成り、更に連結された第１部材と第２部材とは、固定手段を用いて回動可能な範囲内の任意角度で回動不可に固定可能であり、収納ボックスは、固定手段により連結角度が固定された支持手段を介して固定対象に固定配置されることを特徴とする。
この構成によれば、固定対象が傾斜した状態にあっても、支持手段の連結角度を調整してその傾斜を吸収させることができ、別途スペーサ等を使用すること無く収納ボックスを鉛直方向に起立配置することが可能である。
【０００７】
請求項２の発明は、請求項１に記載の構成において、第１部材と第２部材とは、固定対象に固定或いは収納ボックスに固定される固定片と、互いに連結するための重ね片とを有して、Ｌ字状に折り曲げ形成された同一形状の部材であり、重ね片同士が回動軸を介して連結されることで、第１部材と第２部材とが回動可能に連結され、支持手段は、第１部材と第２部材との組を２組有して、回動軸を同一直線上に配置して成ることを特徴とする。
この構成によれば、第１部材と第２部材とは同一形状であるため、部材の種類を削減できる。また、連結した第１部材と第２部材から成る組を２組使用して支持手段は構成されるため、設置面が左右或いは前後で異なる角度の傾斜となっていても、傾斜に合わせてそれぞれの組の連結角度を設定することで対応でき、良好な状態で収納ボックスを設置することが可能である。
【０００８】
請求項３の発明は、請求項１に記載の構成において、第１部材と第２部材とは、固定対象に固定或いは収納ボックスに固定される固定片と、互いに連結するための重ね片とを有し、
第１部材及び第２部材のうちの一方は、固定片の両端に重ね片を有してコ字状に形成された一体形部材であると共に、他方は固定片に１つの重ね片を備えたＬ字状部材であり、一体部材の重ね片とＬ字状部材の重ね片とが、回動軸を介して連結されることで、第１部材と第２部材とが回動可能に連結され、支持手段は、１つの一体形部材と２つのＬ字状部材とから成ることを特徴とする。
この構成によれば、第１部材、第２部材のうちの一方が、２つの重ね片を備えた形状であるため、支持手段を堅牢に且つスムーズに回動するよう構成できる。
【０００９】
請求項４の発明は、請求項２又は３に記載の構成において、重ね片には、回動軸を中心とする円弧状の長孔が設けられており、固定手段が長孔に挿通して重ね片同士を密着させるボルトであり、長孔の長さの範囲内における任意の角度で、ボルトにより角度が固定されることを特徴とする。
この構成によれば、簡易な構造で第１部材と第２部材とを良好に回動できるし、容易に第１部材と第２部材とを密着固定できる。
【００１０】
請求項５の発明は、請求項２乃至４の何れかに記載の構成において、第１部材と第２部材とを回動させる回動軸は、重ね片に穿設された軸孔にボルトを挿通して形成され、軸孔は、縦長の長孔であることを特徴とする。
この構成によれば、軸孔が縦長の長孔であるため、支持部材の高さを変えることができ、一対設けた第１部材と第２部材の組の相互間で高さを変更すれば、第１部材と第２部材の回動方向に直交する方向に対しても傾斜の補正が可能となり、前後左右の傾斜を吸収できる。
【発明の効果】
【００１１】
本発明によれば、固定対象が傾斜した状態にあっても、支持手段によりその傾斜を吸収させることができ、別途スペーサ等を使用すること無く収納ボックスを鉛直方向に起立配置することが可能である。
【図面の簡単な説明】
【００１２】
【図１】本発明に係る収納ボックス固定構造の一例を示し、（ａ）は正面図、（ｂ）は側面図である。
【図２】Ａ部拡大図である。
【図３】Ｂ部拡大図である。
【図４】支持手段を構成するＬ字状部材を示し、（ａ）は平面図、（ｂ）は正面図、（ｃ）は右側面図である。
【図５】支持手段を構成する部材の他の形態を示し、（ａ）は平面図、（ｂ）は正面図、（ｃ）は側面図である。
【図６】コンクリートベースを使用しない形態の収納ボックス固定構造を示す説明図で、（ａ）は正面図、（ｂ）は側面図である。
【発明を実施するための形態】
【００１３】
以下、本発明を具体化した実施の形態を、図面を参照して詳細に説明する。図１〜３は本発明に係る収納ボックス固定構造の一例を示し、図１（ａ）は正面図、図１（ｂ）は側面図、図２はＡ部拡大図、図３はＢ部拡大図である。各図において、１は収納ボックス、２は収納ボックス１の固定対象であるコンクリートベース、３は収納ボックス１とコンクリートベースの間に配置される支持手段である。
【００１４】
収納ボックス１は、金属製箱体で前面に設けられた扉１ａを開閉して物品の収納／取り出しが行われる。また、１ｂは鍵カバーであり、内部に例えばテンキーから成る暗証番号入力部を備えた電動キーが設けられている。
【００１５】
コンクリートベース２は、前後方向に向けて左右に２本配置されている。そして、図２に示すように、収納ボックス１を取り付けるためのアンカーボルト２ａが前後２カ所埋め込まれており、その先端が上方に突出している。
【００１６】
支持手段３は、収納ボックス１の奥行きに合わせた長さを有する金属製部材であり、収納ボックス１の底部に前後方向に向けて配置され、左右に一対設置されている。この支持手段３に対してコンクリートベース２は配置されており、コンクリートベース２は収納ボックス１の自立状態を安定させるために配置されている。
【００１７】
図２，３に示すように、支持手段３はコンクリートベース２に連結される第１部材３ａ、収納ボックス１に連結される第２部材３ｂの２部材で構成され、ここでは両者は同一のＬ字状部材３０が使用されている。
図４はこのＬ字状部材３０を示し、（ａ）は平面図、（ｂ）は正面図、（ｃ）は右側面図である。Ｌ字状部材３０は、収納ボックス１或いはコンクリートベース２に連結固定するための固定片３０ａと、対を成すＬ字状部材３０と連結するために固定片３０ａから直角に折り曲げて重ね合わせるための重ね片３０ｂとを有して、Ｌ字状に形成されている。
【００１８】
固定片３０ａには、収納ボックス１或いはコンクリートベース２に連結固定するボルト挿通孔３１が穿設されている。重ね片３０ｂには、略中央に重ね片３０ｂ同士を回動可能に連結するための軸孔３２が穿設されている。また、重ね片３０ｂの軸孔３２を中心とする長手方向の左右には、連結された重ね片３０ｂ同士を密着させて回動を不可とするための固定孔３３が設けられている。
固定孔３３は、図３に示すように軸孔３２を中心とする一定半径の円周Ｓに沿って形成された円弧状の長孔となっている。また、軸孔３２は上下に長い長孔で形成されている。
【００１９】
Ｌ字状部材３０同士の連結は、Ｌ字状部材３０を対向配置して重ね片３０ｂ同士を重ね合わせ、両者の軸孔３２同士の少なくとも一部を合致させて回動軸となるボルト５を挿通して実施される。図２に示すように、ボルト５にナット６を螺着して両者は連結される。
そして、図３に示すように重ね合わせられた重ね片３０ｂの固定孔３３に、ボルト８を挿通して図示しないナットとで締着することで重ね片３０ｂ同士は密着し、回動不可に固定される。尚、図２では中央のボルト５を示し、ボルト８は省略している。
こうして、回動軸であるボルト５の挿通により、両者は軸孔３２を中心に回動し、上部に配置する収納ボックス１の角度調整を可能としている。また、軸孔３２を縦長の長孔としたことで、Ｌ字状部材３０同士を連結した支持手段３の高さ調整を可能としてる。
【００２０】
支持手段３と収納ボックス１との連結は、上側のＬ字状部材３０（第２部材３ｂ）の固定片３０ａと収納ボックス１とがボルト止めされて連結固定される。図３に示す固定片３０ａに設けられたボルト挿通孔３１に、収納ボックス１を介したボルト７（図２に示す）が挿通されて、ナット６を螺着して連結される。
また、支持手段３とコンクリートベース２との連結は、下側のＬ字状部材３０（第１部材３ａ）の固定片３０ａに設けられたボルト挿通孔３１に、コンクリートベース２に設けられているアンカーボルト２ａを挿通して、図２に示すようにナット６を螺着して連結される。
【００２１】
こうして第１部材３ａと第２部材３ｂとの組が、収納ボックス１の左右底部に、その長手方向を前後に向けて平行に取り付けられ、双方の回動軸であるボルト５が同一直線上に配置されて支持手段３は構成されている。
【００２２】
上記の如く構成された収納ボックス固定構造を備えた収納ボックス１の傾斜面への設置は以下のように行われる。
収納ボックス１の設置面の傾斜は、収納ボックス１の前後方向である前後方向、左右方向、前後左右の双方に傾斜の３パターンがあるが、まず前後方向に傾斜がある場所への設置は次のように行われる。
前後方向の傾斜は、支持手段３の回動機能を利用し、上下のＬ字状部材３０同士の角度を調整することで吸収させることができる。固定孔３３に挿通したボルト８を緩めて、上部に配置した収納ボックス１が鉛直方向を向くよう角度合わせし、合わせた角度でボルト８を締着すれば良い。尚、設置面が水平であれば、第１部材３ａの固定片３０ａと、第２部材３ｂの固定片３０ａとは平行配置される。
【００２３】
一方、左右方向の傾斜は、左右に配置した支持手段３同士の高さを変えることで吸収させることができる。一方或いは双方の支持手段３を構成する上下のＬ字状部材３０を連結しているボルト５，８を緩めれば、支持手段３の左右の高さを調整でき、収納ボックス１が鉛直方向を向くよう左右の高さを変更して調整する。その後ボルト５，８を締着すれば良い。
軸孔３２は縦長の長孔に形成されていることで、第１部材３ａと第２部材３ｂを連結した状態で、上下方向の伸縮が可能であり、支持手段３の左右の高さを容易に変更できる。
そして、前後左右の双方に傾斜がある場合は、上記双方の角度調整、即ち回動機能と高さ方向の調整を実施すれば良い。
【００２４】
このように、設置面が傾斜していることで、固定対象であるコンクリートベース２が傾斜した状態で配置されても、支持手段３によりその傾斜を吸収させることができ、別途スペーサ等を使用すること無く収納ボックス１を鉛直方向に起立配置することができる。また、第１部材３ａと第２部材３ｂとは同一形状であるため、部材の種類を削減できる。
そして、連結した第１部材３ａと第２部材３ｂから成る組を２組使用して支持手段３は構成されるため、設置面が左右で異なる角度の傾斜となっていても、傾斜に合わせてそれぞれの組の第１部材３ａと第２部材３ｂとの連結角度を設定することで対応でき、良好な状態で収納ボックス１を設置することが可能である。
更に、Ｌ字状部材３０の重ね片３０ｂ同士を重ねて、中央に設けた軸孔３２にボルト５を挿通して連結する簡易な構造で、第１部材３ａと第２部材３ｂとを良好に回動できるし、円弧状の長孔から成る固定孔３３にボルト８を挿通する簡易な構成で固定するため、容易に第１部材３ａと第２部材３ｂとを密着固定できる。
加えて、軸孔３２が縦長の長孔であるため、支持部材３の高さを変えることができ、一対設けた重ね片３０ｂの間で高さを変更すれば、第１部材３ａと第２部材３ｂの回動方向に直交する方向に対しても傾斜の補正が可能となり、前後左右の傾斜を吸収できる。
【００２５】
次に支持手段３の他の形態を説明する。図５は支持手段３を示し、（ａ）は平面図、（ｂ）は正面図、（ｃ）は側面図である。上記図４のＬ字状部材３０と共通する構成要素には同一の符号を付与している。
この部材（一体形部材）４０は、上記Ｌ字状部材３０に比べて幅広の固定板４０ａを有し、連結板３０ｂをその左右に備えている。結果、２つのＬ字状部材３０を一体化した形状となっており、コ字状に折り曲げ形成された形状となっている。
このように形成した一体形部材４０と、２つのＬ字状部材３０とで支持手段３を構成しても良い。この場合、収納ボックス１、コンクリートベース２のうちの何れか一方に一体形部材４０が連結固定され、他方に２つのＬ字状部材３０が連結固定される。
【００２６】
この場合、第１部材３ａ、第２部材３ｂのうちの一方が、２つの重ね片３０ｂを備えた一体形部材であるため、支持手段３を堅牢に且つスムーズに回動するよう構成できる。
【００２７】
尚、上記実施形態は、支持手段３を左右に配置して、その回動作用を利用して前後方向の傾斜を吸収させているが、前後に配置して左右方向の傾斜を吸収させても良い。
また、コンクリートベース２上に収納ボックス１を組み付けているが、床に直接アンカーボルトを打設して支持手段３を取り付ければ、収納ボックス１は安定するためコンクリートベースは無くても良い。図６はこのように床Ｗに対してコンクリートベースを使わず収納ボックス１を設置した状態を示している。
【符号の説明】
【００２８】
１・・収納ボックス、２・・コンクリートベース（固定対象）、３・・支持手段、３ａ・・第１部材、３ｂ・・第２部材、５，７，８・・ボルト（固定手段），３０・・Ｌ字状部材、３０ａ・・固定片、３０ｂ・・重ね片、３２・・軸孔、３３・・固定孔、４０・・一体形部材、４０ａ・・固定板。
【図１】
2019146782.tif 000003
【図２】
2019146782.tif 000004
【図３】
2019146782.tif 000005
【図４】
2019146782.tif 000006
【図５】
2019146782.tif 000007
【図６】
2019146782.tif 000008